(57)【要約】【課題】洗濯時の泡立ち性が良好で、且つすすぎ時の泡切れ性に優れた衣料用洗浄剤組成物を提供する。【解決手段】下記（ａ）成分及び（ｂ）成分を含有し、（ａ）成分中の、一般式（１）中のｎが０である化合物及び一般式（１）中のｎが１である化合物の割合が６５質量％以上９５質量％以下であり、一般式（１）中のｎが０である化合物の質量及び一般式（１）中のｎが１である化合物の質量の合計１００質量部に対する（ｂ）成分の質量が５質量部以上１７質量部以下である、衣料用洗浄剤組成物。（ａ）成分：下記一般式（１）で表される硫酸エステル塩          Ｒ−Ｏ−（ＡＯ）ｎ−ＳＯ３Ｍ        （１）〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕（ｂ）成分：両性界面活性剤【選択図】なし【特許請求の範囲】
【請求項１】
下記（ａ）成分及び（ｂ）成分を含有し、
（ａ）成分中の、一般式（１）中のｎが０である化合物及び一般式（１）中のｎが１である化合物の割合が６５質量％以上９５質量％以下であり、
一般式（１）中のｎが０である化合物の質量及び一般式（１）中のｎが１である化合物の質量の合計１００質量部に対する（ｂ）成分の質量が５質量部以上１７質量部以下である、
衣料用洗浄剤組成物。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
【請求項２】
衣料用洗浄剤組成物中に含まれるアニオン界面活性剤中の前記（ａ）成分の割合が８０質量％以上１００質量％以下である、請求項１に記載に記載の衣料用洗浄剤組成物。
【請求項３】
衣料用洗浄剤組成物中に含まれるアルキルベンゼンスルホン酸塩の含有量と、衣料用洗浄剤組成物中に含まれる全アニオン界面活性剤の含有量との質量比が、アルキルベンゼンスルホン酸塩の含有量／全アニオン界面活性剤の含有量で、０以上０．２未満である、請求項１に記載の衣料用洗浄剤組成物。
【請求項４】
（ｂ）成分が、アミンオキシドである、請求項１〜３の何れかに記載の衣料用洗浄剤組成物。
【請求項５】
手洗い洗濯用である、請求項１〜４の何れかに記載の衣料用洗浄剤組成物。
【請求項６】
請求項１〜５の何れかに記載の衣料用洗浄剤組成物と水とを混合して調製した洗浄液を用いて衣料を手洗いし、その後に衣料を水で濯ぐ、手洗い洗濯方法。
【請求項７】
下記（ａ）成分及び（ｂ）成分を含有する衣料用洗浄剤組成物の洗濯におけるすすぎ時の泡切れ性を向上する方法であって、
（ａ）成分中の、一般式（１）中のｎが０である化合物及び一般式（１）中のｎが１である化合物の割合を６５質量％以上９５質量％以下とし、
一般式（１）中のｎが０である化合物の質量及び一般式（１）中のｎが１である化合物の質量の合計１００質量部に対する（ｂ）成分の質量を５質量部以上１７質量部以下とする、
方法。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
【発明の詳細な説明】
【技術分野】
【０００１】
本発明は、衣料用洗浄剤組成物、手洗い洗濯方法、及び衣料用洗浄剤組成物の洗濯におけるすすぎ時の泡切れ性を向上する方法に関する。
【背景技術】
【０００２】
中華圏やアセアン圏のようなアジア地域においては洗濯機の普及が進んでいるが、手洗い洗濯も依然として存在している。日本国内においても、洗面器等の容器を用いて手洗い洗濯することが行われている。手洗い洗濯では、多くの使用者が洗剤を水に溶かして衣料を洗濯している。手洗い洗濯では、多くの作業者は、洗浄中に適度な泡立ちがあることを好む。
【０００３】
特許文献１には、アルキルサルフェート及びアルキルエトキシサルフェートから選ばれる陰イオン界面活性剤と、ポリヒドロキシ脂肪酸アミドと、アミンオキシドとを所定条件で含有し、洗濯時の泡立ちと皮膚へのマイルド性に優れる、洗濯洗剤組成物が開示されている。
特許文献２には、陰イオン界面活性剤、アミンオキシド及び脂肪酸を含有し、グリースや油しみ抜きに関して良好なベビーデューテイー液体洗濯洗剤組成物が開示されている。アミンオキシドと脂肪酸の複合体によるクリーニング性の向上が開示されている。
特許文献３には、陰イオン界面活性剤、アミンオキシド及び特定の化合物を含有し、洗浄効果に優れる液体洗浄剤が開示されている。
特許文献４には、プロピレンオキシド基とエチレンオキシド基を含むポリオキシアルキレンアルキル硫酸エステル塩と、アミンオキシドと、を特定比率で含有し、洗浄性と低温安定性に優れた液体洗浄剤組成物が開示されている。
アミンオキシドが洗濯時の泡立ちを高めることは周知である。
【先行技術文献】
【特許文献】
【０００４】
【特許文献１】特表平１０−５０４０４９号公報
【特許文献２】特表平９−５１２８６０号公報
【特許文献３】特開２００１−１９９９９３号公報
【特許文献４】特開２００９−１３２８２３号公報
【発明の概要】
【発明が解決しようとする課題】
【０００５】
特許文献１〜４のいずれにも、すすぎ時の泡切れ性の向上に関する課題の記載はない。
本発明は、洗濯時の泡立ち性が良好で、且つすすぎ時の泡切れ性に優れた衣料用洗浄剤組成物を提供する。
【課題を解決するための手段】
【０００６】
本発明は、下記（ａ）成分及び（ｂ）成分を含有し、
（ａ）成分中の、一般式（１）中のｎが０である化合物及び一般式（１）中のｎが１である化合物の割合が６５質量％以上９５質量％以下であり、
一般式（１）中のｎが０である化合物の質量及び一般式（１）中のｎが１である化合物の質量の合計１００質量部に対する（ｂ）成分の質量が５質量部以上１７質量部以下である、
衣料用洗浄剤組成物に関する。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
【０００７】
また、本発明は、上記本発明の衣料用洗浄剤組成物と水とを混合して調製した洗浄液を用いて衣料を手洗いし、その後に衣料を水で濯ぐ、手洗い洗濯方法に関する。
【０００８】
また、本発明は、下記（ａ）成分及び（ｂ）成分を含有する衣料用洗浄剤組成物の洗濯におけるすすぎ時の泡切れ性を向上する方法であって、
（ａ）成分中の、一般式（１）中のｎが０である化合物及び一般式（１）中のｎが１である化合物の割合を６５質量％以上９５質量％以下とし、
一般式（１）中のｎが０である化合物の質量及び一般式（１）中のｎが１である化合物の質量の合計１００質量部に対する（ｂ）成分の質量を５質量部以上１７質量部以下とする、
方法に関する。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
【発明の効果】
【０００９】
本発明によれば、洗濯時の泡立ち性が良好で、且つすすぎ時の泡切れ性に優れた衣料用洗浄剤組成物を得ることができる。
【発明を実施するための形態】
【００１０】
〔衣料用洗浄剤組成物〕
本発明者は、一般式（１）中のｎが０である化合物及び一般式（１）中のｎが１である化合物〔以下、併せて（ａ１）成分という〕の（ａ）成分中の割合と、（ａ１）成分に対する（ｂ）成分の割合が、洗濯時の泡立ちとすすぎ時の泡切れに関与することを見出した。これに基づき、本発明では、（ａ）成分中の（ａ１）の割合を６５質量％以上９５質量％以下とし、且つ組成物中の（ａ１）成分の質量の合計１００質量部に対する（ｂ）成分の質量を５質量部以上１７質量部以下としたものである。
本発明の効果が得られる理由は必ずしも明確では無いが、以下のように推定される。（ａ１）成分は、相対的に濃度の高い洗浄液中では（ｂ）成分と複合体を形成することで、泡膜が安定化し泡立ちが維持される。一方、洗浄工程の次の工程であるすすぎ工程では、すすぎ水中の（ａ１）成分と（ｂ）成分の濃度が低くなることで、洗浄液中で形成されていた前記複合体が解離し、洗浄液中よりも泡膜が不安定になる。そのため、すすぎ水から形成された泡は破壊されやすく、泡切れも良くなるものと推定している。
【００１１】
＜（ａ）成分＞
（ａ）成分は、下記一般式（１）で表される硫酸エステル塩である。
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
【００１２】
一般式（１）中、Ｒは、アルキル基が好ましく、鎖式アルキル基が好ましい。また、Ｒは、洗浄性の点から、炭素数１０以上、そして、１６以下が好ましい。Ｒは、炭素数１０以上、そして、１６以下の鎖式アルキル基が好ましい。
【００１３】
一般式（１）中、ＡＯは、炭素数２のアルキレンオキシ基及び炭素数３のアルキレンオキシ基から選ばれるアルキレンオキシ基である。ＡＯは、例えば、エチレンオキシ基及びプロピレンオキシ基から選ばれる１種以上の基が挙げられる。
一般式（１）中のｎが２以上２０以下の整数の場合、ＡＯはエチレンオキシ基と及びプロピレンオキシ基を含むことができる。ＡＯがエチレンオキシ基及びプロピレンオキシ基を含む場合、エチレンオキシ基及びプロピレンオキシ基の結合様式は、ランダム型、ブロック型のいずれかに結合したもの、又はランダム型とブロック型が混合して結合したものであっても良い。入手や製造が容易な点から、ＡＯはエチレンオキシ基が好ましい。ＡＯとしてエチレンオキシ基を含むことが好ましい。
【００１４】
一般式（１）中、ｎは、０以上２０以下の整数である。ｎは、好ましくは１８以下、より好ましくは１５以下の整数である。
【００１５】
本発明では、（ａ）成分中の、（ａ１）成分、すなわち、一般式（１）中のｎが０である化合物及び一般式（１）中のｎが１である化合物の割合が６５質量％以上９５質量％以下である。この割合が９５質量％を超える場合には洗濯時の泡立ち性が劣る。また、この割合が６５質量％未満の場合にはすすぎ時の泡切れ性が劣る。
すすぎ時の泡切れ性が更に向上する点で、（ａ）成分中の（ａ１）成分の割合は、６６質量％以上が好ましく、６８質量％以上が好ましく、７０質量％以上が好ましく、７３質量％以上が好ましく、７５質量％以上が好ましく、７６質量％以上が好ましく、７８質量％以上が好ましく、８０質量％以上が好ましく、８２質量％以上が好ましく、８４質量％以上が好ましく、８６質量％以上が好ましく、８８質量％以上が好ましく、９０質量％以上が好ましく、９２質量％以上が好ましい。上限値は９５質量％である。
【００１６】
また、すすぎ時の泡切れ性が更に向上する点で、（ａ）成分中、一般式（１）中のｎが０の化合物の割合は、５０質量％以上が好ましく、５２質量％以上が好ましく、５４質量％以上が好ましく、５６質量％以上が好ましく、５８質量％以上が好ましく、６０質量％以上が好ましく、６２質量％以上が好ましく、６４質量％以上が好ましく、６６質量％以上が好ましく、６８質量％以上が好ましく、７０質量％以上が好ましく、７２質量％以上が好ましく、７４質量％以上が好ましく、７６質量％以上が好ましく、７８質量％以上が好ましく、８０質量％以上が好ましく、８２質量％以上が好ましく、８４質量％以上が好ましく、８６質量％以上が好ましく、そして、上限値は、好ましくは９２質量％である。
【００１７】
また、すすぎ時の泡切れ性が更に向上する点で、（ａ）成分中、一般式（１）中のｎが６以上２０以下の化合物の割合は、１０質量％以下が好ましく、９質量％以下が好ましく、８質量％以下が好ましく、７質量％以下が好ましく、６質量％以下が好ましく、５質量％以下が好ましく、４質量％以下が好ましく、３質量％以下が好ましい。この割合の下限値は、０質量％以上である。更に、この割合の下限値は、０質量％又は０質量％超である。
【００１８】
本発明では、（ａ）成分中の、一般式（１）中のｎの異なる化合物の構成比率は、一般式（１）中のＳＯ３Ｍ基をＨに置き換えた化合物におけるｎの異なる化合物の構成比率を採用することができる。例えば、一般式（１）中のＳＯ３Ｍ基をＨに置き換えた化合物であってｎの異なる化合物の分布を、ガスクロマトグラフィーで分析して得られた面積比を質量分率とみなし、これを、（ａ）成分における一般式（１）中のｎの異なる化合物の構成比率として用いることができる。
また、一般式（１）で表される（ａ）成分が入手できる場合であっても、そのままでは構成比率が測定しにくい場合には、該（ａ）成分を酸分解してＳＯ３Ｍ基をＨに置き換えた化合物を生成させて、該化合物におけるｎの異なる化合物の構成比率を、（ａ）成分における一般式（１）中のｎの異なる化合物の構成比率として用いることができる。この場合、具体的には、（ａ）成分を酸分解してＳＯ３Ｍ基をＨに置き換えた化合物を生成させ、次に当該化合物におけるｎの分布をガスクロマトグラフィーで分析し、得られた面積比を質量分率とみなし、これを、（ａ）成分における一般式（１）中のｎの異なる化合物の構成比率として用いることができる。
【００１９】
上記の方法を採用する場合、ガスクロマトグラフィーによる分析条件、及び前記の酸分解の条件の一例を下記に示す。
＜ガスクロマトグラフィーの分析条件＞
ＧＣ機器；アジレントテクノロジー社製、７８９０Ａ
カラム；アジレントテクノロジー社製、ＤＢ−５（３０ｍ、内径０．２５ｍｍ、膜厚０．２５μｍ）
検出器；ＦＩＤ
キャリア；ヘリウムガス、１ｍＬ／ｍｉｎ
昇温条件；１００℃から３２５℃まで５℃／ｍｉｎで昇温する。その後、３５分間３２５℃を保持する。
試料の前処理：試料５０ｍｇを２ｍＬ容量のバイアル瓶に入れ、トリメチルシリル化剤（ジーエルサイエンス社製）１ｍＬを加えて混合し、３０℃で５分間反応させる。
【００２０】
＜（ａ）成分の酸分解の条件＞
３００ｍＬ容量のガラス製スリつき三角フラスコに試料４ｇを入れる。２Ｎ塩酸２００ｍＬと沸石を三角フラスコ内に投入し、スリ付空冷管をセットする。三角フラスコを１４０℃のオイルバスに入れ３時間還流した後に３０℃まで冷却する。三角フラスコ内に１％フェノールフタレイン溶液を、パスツールピペットで１滴加える。次に、三角フラスコ内の内容物が淡いピンク色になるまで、３５％水酸化ナトリウム水溶液を添加する。
内容物を１０００ｍＬ容量の分液ロートに写し、石油エーテル２００ｍＬを加えて３回抽出する。石油エーテル層を１０％塩化ナトリウム水溶液５０ｍＬで３回水洗後に無水硫酸ナトリウム２０ｇを添加し脱水する。５００ｍＬ三角に無水硫酸ナトリウムをろ過で取り除いた溶液を入れ、石油エーテルをトッピングする。
【００２１】
一般式（１）中、Ｍは、塩を形成する陽イオンである。Ｍは、ナトリウムイオン、カリウムイオンなどのアルカリ金属イオン、及びアンモニウムイオン、アルカノールアンモニウムイオンなどが挙げられる。アルカノールアンモニウムイオンは、総炭素数２以上６以下のアルカノールアンモニウムイオンが好ましい。
【００２２】
＜（ｂ）成分＞
（ｂ）成分は両性界面活性剤である。本発明において（ｂ）成分は、洗濯時の泡立ち性を高める作用を有する。また、本発明において、（ｂ）成分を、（ａ）成分のうちの特定の化合物と特定の質量比で併用することで、洗濯時の泡立ち性を維持しつつ、すすぎ時の泡切れ性を向上できる。
【００２３】
好ましい（ｂ）成分は、アミンオキシド及びベタインから選ばれる１種以上の両性界面活性剤が挙げられる。（ｂ）成分は、アミンオキシドがより好ましい。
【００２４】
アミンオキシドとしては、炭素数７以上１８以下の脂肪族炭化水素基を有するアミンオキシドが好ましい。具体的には、下記一般式（ｂ１）で表される化合物が挙げられる。
【００２５】
【化１】
2017066385.tif 000002
【００２６】
〔式中、Ｒ１ｂは、ｋが０の場合又はｋが１でＸが−Ｏ（ＣＯ）−、−（ＮＨ）（ＣＯ）−から選ばれる基である場合は、炭素数８以上１８以下の脂肪族炭化水素基であり、ｋが１でＸが−（ＣＯ）Ｏ−、−（ＣＯ）（ＮＨ）−から選ばれる基である場合は、炭素数７以上１７以下の脂肪族炭化水素基であり、Ｒ２ｂは炭素数１以上６以下のアルキレン基であり、Ｘは−（ＣＯ）Ｏ−、−（ＣＯ）（ＮＨ）−、−Ｏ（ＣＯ）−、−（ＮＨ）（ＣＯ）−から選ばれる基である。ｋは０又は１の数であり、Ｒ３ｂ、Ｒ４ｂは、それぞれ炭素数１以上３以下のアルキル基又はヒドロキシアルキル基である。〕
【００２７】
一般式（ｂ１）において、Ｒ１ｂは、ｋが０の場合、又はｋが１でＸが−Ｏ（ＣＯ）−、−（ＮＨ）（ＣＯ）−から選ばれる基の場合は、洗濯時の泡立ち性を維持しつつ、すすぎ時の泡切れ性を向上できる点で、炭素数８以上１６以下の脂肪族炭化水素基が好ましく、炭素数１０以上１６以下の脂肪族炭化水素基がより好ましく、炭素数１０以上１４以下のアルキル基又はアルケニル基が更に好ましく、炭素数１２以上１４以下のアルキル基又はアルケニル基が好ましい。
また、一般式（ｂ１）において、Ｒ１ｂは、ｋが１でＸが−（ＣＯ）Ｏ−、−（ＣＯ）（ＮＨ）−から選ばれる基である場合は、炭素数７以上１７以下の脂肪族炭化水素基であり、洗濯時の泡立ち性を維持しつつ、すすぎ時の泡切れ性を向上できる点で、炭素数７以上１５以下の脂肪族炭化水素基が好ましく、炭素数９以上１５以下の脂肪族炭化水素基がより好ましく、炭素数９以上１３以下のアルキル基又はアルケニル基が更に好ましく、炭素数１１以上１３以下のアルキル基又はアルケニル基が更に好ましい。
一般式（ｂ１）において、Ｘは、洗濯時の泡立ち性を維持しつつ、すすぎ時の泡切れ性を向上できる点で、−（ＣＯ）Ｏ−又は−（ＣＯ）（ＮＨ）−が好ましく、−（ＣＯ）（ＮＨ）−がより好ましい。
Ｒ２ｂの炭素数は、好ましくは２又は３である。Ｒ３ｂ、Ｒ４ｂは、好ましくはメチル基である。
【００２８】
アミンオキシドのより好ましい具体的な化合物としては、Ｎ−ラウリル−Ｎ，Ｎ−ジメチルアミンオキシド、Ｎ−ミリスチル−Ｎ，Ｎ−ジメチルアミンオキシド、Ｎ−パルミチル−Ｎ，Ｎ−ジメチルアミンオキシド、Ｎ−ラウロイルアミノプロピル−Ｎ，Ｎ−ジメチルアミンオキシド、Ｎ−ミリストイルアミノプロピル−Ｎ，Ｎ−ジメチルアミンオキシド、Ｎ−パルミトイルアミノプロピル−Ｎ，Ｎ−ジメチルアミンオキシド、Ｎ−ラウリル−Ｎ−エチル−Ｎ−メチルアミンオキシド、Ｎ−ラウリル−Ｎ−メチル−Ｎ−（２−ヒドロキシエチル）アミンオキシド、Ｎ−ミリスチル−Ｎ−エチル−Ｎ−メチルアミンオキシド、Ｎ−ミリスチル−Ｎ−メチル−Ｎ−（２−ヒドロキシエチル）アミンオキシド、Ｎ−パルミチル−Ｎ−エチル−Ｎ−メチルアミンオキシド、Ｎ−パルミチル−Ｎ−メチル−Ｎ−（２−ヒドロキシエチル）アミンオキシド、Ｎ−ラウロイルアミノプロピル−Ｎ−エチル−Ｎ−メチルアミンオキシド、Ｎ−ラウロイルアミノプロピル−Ｎ−メチル−Ｎ−（２−ヒドロキシエチル）アミンオキシド、Ｎ−ミリストイルアミノプロピル−Ｎ−エチル−Ｎ−メチルアミンオキシド、Ｎ−ミリストイルアミノプロピル−Ｎ−メチル−Ｎ−（２−ヒドロキシエチル）アミンオキシド、Ｎ−パルミトイルアミノプロピル−Ｎ−エチル−Ｎ−メチルアミンオキシド及びＮ−パルミトイルアミノプロピル−Ｎ−メチル−Ｎ−（２−ヒドロキシエチル）アミンオキシドから選ばれる１種以上の化合物が挙げられる。
【００２９】
アミンオキシドの更に好ましい具体的な化合物としては、Ｎ−ラウリル−Ｎ，Ｎ−ジメチルアミンオキシド、Ｎ−ミリスチル−Ｎ，Ｎ−ジメチルアミンオキシド、Ｎ−パルミチル−Ｎ，Ｎ−ジメチルアミンオキシド、Ｎ−ラウロイルアミノプロピル−Ｎ，Ｎ−ジメチルアミンオキシド、Ｎ−ミリストイルアミノプロピル−Ｎ，Ｎ−ジメチルアミンオキシド、及びＮ−パルミトイルアミノプロピル−Ｎ，Ｎ−ジメチルアミンオキシドから選ばれる１種以上の化合物が挙げられる。
【００３０】
ベタインとしては、炭素数７以上１８の炭化水素基を有するベタインが好ましい。具体的には、下記一般式（ｂ２）で表される化合物が挙げられる。
【００３１】
【化２】
2017066385.tif 000003
【００３２】
〔式中、Ｒ５ｂは、ｊが０の場合又はｊが１でＹが−Ｏ（ＣＯ）−、−（ＮＨ）（ＣＯ）−から選ばれる基である場合は、炭素数８以上１８以下の脂肪族炭化水素基であり、ｊが１でＹが−（ＣＯ）Ｏ−、−（ＣＯ）（ＮＨ）−から選ばれる基である場合は、炭素数７以上１７以下の脂肪族炭化水素基であり、Ｒ６ｂは炭素数１以上６以下のアルキレン基である。Ｙは−（ＣＯ）Ｏ−、−（ＣＯ）（ＮＨ）−、−Ｏ（ＣＯ）−、−（ＮＨ）（ＣＯ）−、−Ｏ−から選ばれる基であり、ｊは０又は１の数である。Ｒ７ｂ、Ｒ８ｂは、それぞれ炭素数１以上３以下のアルキル基又はヒドロキシアルキル基であり、Ｒ９ｂはヒドロキシ基で置換していてもよい炭素数１以上５以下のアルキレン基である。Ｚは−ＳＯ３−、−ＯＳＯ３−、−ＣＯＯ−から選ばれる基である。〕
【００３３】
一般式（ｂ２）において、Ｒ５ｂは、ｊが０の場合、又はｊが１でＹが−Ｏ（ＣＯ）−、−（ＮＨ）（ＣＯ）−から選ばれる基の場合は、洗濯時の泡立ち性を維持しつつ、すすぎ時の泡切れ性を向上できる点で、炭素数８以上１６以下の脂肪族炭化水素基が好ましく、１０以上１６以下の脂肪族炭化水素基がより好ましく、炭素数１０以上１４以下のアルキル基又はアルケニル基が更に好ましい。
また、一般式（ｂ２）において、Ｒ５ｂは、ｊが１でＹが−（ＣＯ）Ｏ−、−（ＣＯ）（ＮＨ）−から選ばれる基である場合は、炭素数７以上１７以下の脂肪族炭化水素基であり、洗濯時の泡立ち性を維持しつつ、すすぎ時の泡切れ性を向上できる点で、炭素数７以上１５以下の脂肪族炭化水素基が好ましく、炭素数９以上１５以下の脂肪族炭化水素基がより好ましく、炭素数９以上１３以下のアルキル基又はアルケニル基が更に好ましい。
一般式（ｂ２）において、Ｒ６ｂは、製造の容易性の点で炭素数１以上４以下のアルキレン基であり、より好ましくは２又は３のアルキレン基である。また、Ｒ７ｂ、Ｒ８ｂは、好ましくはメチル基、エチル基又はヒドロキシエチル基である。Ｒ９ｂはヒドロキシ基が置換していてもよい炭素数１以上３以下のアルキレン基が好ましい。
また、一般式（ｂ２）において、ｊは好ましくは０である。
また、一般式（ｂ２）において、Ｚは洗濯時の泡立ち性を維持しつつ、すすぎ時の泡切れ性を向上できる点で、−ＳＯ３−が好ましい。
【００３４】
ベタインのより好ましい具体的な化合物としては、ラウリル（２−ヒドロキシ−３−スルホプロピル）ジメチルベタイン、ミリスチル（２−ヒドロキシ−３−スルホプロピル）ジメチルベタイン、及びパルミチル（２−ヒドロキシ−３−スルホプロピル）ジメチルベタインから選ばれる１種以上の化合物が挙げられる。
【００３５】
＜（ｃ）成分＞
本発明の衣料用洗浄剤組成物は、（ｃ）成分として、ノニオン界面活性剤を含有することができる。
（ｃ）成分を用いることですすぎ時の泡切れ性はより向上する傾向がある。また、本発明の衣料用洗浄剤組成物が水を含む衣料用液体洗浄剤組成物の場合には、本発明において（ｃ）成分であるポリオキシアルキレン基を有するノニオン界面活性剤を用いることで、組成物の粘度を低減でき、組成物の計量が更に容易になる。
【００３６】
（ｃ）成分は、ポリオキシアルキレン基を有するノニオン界面活性剤が好ましい。更に、（ｃ）成分は、下記一般式（ｃ１）で表されるノニオン界面活性剤が好ましい。
Ｒ１ｃ−Ｏ−（Ａ’Ｏ）ｍ−Ｈ            （ｃ１）
〔式中、Ｒ１ｃは、炭素数８以上１８以下の脂肪族炭化水素基であり、Ａ’Ｏは炭素数２のアルキレンオキシ基及び炭素数３のアルキレンオキシ基から選ばれるアルキレンオキシ基であり、ｍは、Ａ’Ｏの平均付加モル数であり、３以上２０以下の数である。〕
【００３７】
一般式（ｃ１）において、Ｒ１ｃの炭素数は、洗浄時に泡立ち性を維持しつつ、すすぎ時の泡切れ性をより向上できる点で、１０以上が好ましく、１２以上がより好ましく、そして１６以下が好ましい。
また、一般式（ｃ１）において、Ｒ１ｃの炭素数は、液体の組成物とした場合の粘度をより低くできる点で、１０以上が好ましく、そして１６以下が好ましく、１４以下がより好ましい。
また、一般式（ｃ１）中のＲ１ｃの脂肪族炭化水素基としては、アルキル基及びアルケニル基から選ばれる脂肪族炭化水素基が挙げられ、アルキル基が好ましい。
また、一般式（ｃ１）において、ｍは、Ａ’Ｏの平均付加モル数であり、洗濯時の泡立ち性が向上しても、すすぎ時の泡切れ性を維持できる点で、４以上が好ましく、５以上が好ましく、６以上が好ましく、７以上が好ましく、８以上が好ましく、そして１８以下が好ましく、１６以下が好ましく、１４以下が好ましく、１２以下がより好ましい。
また、一般式（ｃ１）において、ｍは、液体の組成物とした場合の粘度をより低くできる点で、４以上が好ましく、５以上が好ましく、６以上が好ましく、７以上が好ましく、８以上が好ましく、９以上が好ましく、そして１８以下が好ましく、１６以下が好ましく、１４以下が好ましい。
また、一般式（ｃ１）において、Ａ’Ｏは、炭素数２のアルキレンオキシ基及び炭素数３のアルキレンオキシ基から選ばれるアルキレンオキシ基である。Ａ’Ｏは、例えば、エチレンオキシ基及びプロピレンオキシ基から選ばれる１種以上の基が挙げられる。洗浄時の泡立ち性を維持できる点で、Ａ’Ｏが、エチレンオキシ基を含むことが好ましい。Ａ’Ｏはエチレンオキシ基が好ましい。
【００３８】
＜衣料用洗浄剤組成物の組成等＞
本発明の衣料用洗浄剤組成物は、（ａ１）成分を所定量含有する（ａ）成分を用い、且つ（ａ１）成分１００質量部に対する（ｂ）成分の質量を５質量部以上１７質量部以下とすることで、洗浄時の泡立ち性を維持しつつ、すすぎ時の泡切れ性を向上することができる。
本発明では、（ａ）成分の質量は、（ａ１）成分も含め、対イオンをナトリウムに換算した値、すなわちナトリウム塩に換算した値を用いるものとする。
【００３９】
本発明の衣料用洗浄剤組成物は、（ａ１）成分の質量の合計１００質量部に対する（ｂ）成分の質量が５質量部以上１７質量部以下である。
本発明の衣料用洗浄剤組成物は、洗浄時の泡立ち性の向上の点から、（ａ１）成分の質量の合計１００質量部に対する（ｂ）成分の質量が、５質量部以上であり、５．５質量部以上が好ましく、６質量部以上がより好ましく、６．５質量部以上が更に好ましく、７質量部以上が更に好ましく、８質量部以上が更に好ましく、９質量部以上が更に好ましく、１０質量部以上が更に好ましい。そして、本発明の衣料用洗浄剤組成物は、すすぎ時の泡切れ性の向上の点から、（ａ１）成分の質量の合計１００質量部に対する（ｂ）成分の質量が、１７質量部以下であり、１６．５質量部以下が好ましく、１６質量部以下がより好ましく、１５．５質量部以下が更に好ましく、１５質量部以下が更に好ましく、１４．５質量部以下が更に好ましく、１４質量部以下が更に好ましく、１３．５質量部以下が更に好ましく、１３質量部以下が更に好ましく、１２．５質量部以下が更に好ましく、１２質量部以下が更に好ましく、１１．５質量部以下が更に好ましく、１１質量部以下が更に好ましく、１０．５質量部以下が更に好ましい。
【００４０】
本発明の衣料用洗浄剤組成物中の（ａ）成分の含有量は、当該組成物の洗浄１回当たりの使用量、当該衣料用洗浄剤組成物を含む物品の大きさ、または物品１個当たりの使用回数や価格などを考慮して、適宜決めることができる。また、衣料用洗浄剤組成物の形態の種類によっても適宜決めることができる。衣料用洗浄剤組成物の衣料用洗浄剤組成物の形態としては、粉末、粒状、バー、ペーストや液体等を挙げることができる。
【００４１】
一例として、本発明の衣料用洗浄剤組成物中の（ａ）成分の含有量は、洗浄性の向上の観点、又は洗濯時の泡立ち性の向上の観点で、組成物中に３質量％以上が好ましく、４質量％以上がより好ましく、５質量％以上が更に好ましく、６質量％以上が更に好ましく、７質量％以上が更に好ましく、８質量％以上が更に好ましく、９質量％以上が更に好ましく、そして、すすぎ時の泡切れ性の向上の観点で、３０質量％以下が好ましく、２８質量％以下がより好ましく、２６質量％以下が更に好ましく、２４質量％以下が更に好ましく、２２質量％以下が更に好ましく、２０質量％以下が更に好ましい。
【００４２】
本発明の衣料用洗浄剤組成物が（ｃ）成分を含有する場合、洗浄時の泡立ち性を維持しつつ、すすぎ時の泡切れ性を更に向上できる観点で、（ａ）成分の質量の１００質量部に対する（ｃ）成分の質量は、９質量部以上が好ましく、１０質量部以上が好ましく、１１質量部以上がより好ましく、１２質量部以上が更に好ましく、１３質量部以上が更に好ましく、そして、３０質量部以下が好ましく、２８質量部以下がより好ましく、２６質量部以下が更に好ましく、２４質量部以下が更に好ましく、２２質量部以下が更に好ましく、２０質量部以下が更に好ましい。
本発明の衣料用洗浄剤組成物が、液体組成物、なかでも水を含有する液体組成物である場合には、粘度を適切に調整するために、（ｃ）成分を含有することが好ましい。本発明の衣料用洗浄剤組成物が液体組成物である場合、組成物の粘度を低減して適切な範囲とする観点で、（ａ）成分の質量の１００質量部に対する（ｃ）成分の質量は、１０質量部以上が好ましく、１１質量部以上がより好ましく、１２質量部以上が更に好ましく、１３質量部以上が更に好ましく、そして、２６質量部以下が好ましく、２４質量部以下がより好ましく、２２質量部以下が更に好ましく、２０質量部以下が更に好ましい。
【００４３】
本発明の衣料用洗浄剤組成物が液体組成物の場合は、水を含むことができる。水としては、イオン交換水、蒸留水、水道水、次亜塩素酸塩を含むイオン交換水を使用することができる。水は、液体組成物の残分として含有される。水は、水以外の成分の残部の量で用いられる。すなわち、水は、水以外の成分との合計が１００質量％となる量で用いられる。
【００４４】
本発明の衣料用洗浄剤組成物が水を含有する液体組成物である場合、２５℃での液体組成物そのもののｐＨが好ましくは６以上、より好ましくは７以上、更に好ましくは８以上、そして、好ましくは１１以下、より好ましくは１０．５以下、更に好ましくは１０以下である。ｐＨは、ガラス電極を使用したｐＨメーターを用いて測定することができる。
【００４５】
＜任意成分＞
本発明の衣料用洗浄剤組成物には、その他の成分として、次の（ｉ）〜（viii）に示す成分を、本発明の効果を損なわない程度の量で配合することができる。
（ｉ）水溶性アルカリ無機塩
本発明の衣料用洗浄剤組成物は、洗浄性をより高める為に、水溶性アルカリ無機塩を含有することができる。
ここで、（ｉ）成分についての「水溶性」とは、２０℃で水１００ｇ中に１ｇ以上溶解することをいう。（ｉ）成分は、２０℃で水１００ｇ中に５ｇ以上、更に１０ｇ以上溶解することが好ましい。水溶性アルカリ無機塩は１種又は２種以上を組み合わせて用いることができる。
（ｉ）成分としては、水溶性無機アルカリ金属塩が挙げられる。特に限定されるものではないが、例えば炭酸塩及び非晶質ケイ酸塩から選ばれる１種以上の水溶性アルカリ無機塩が挙げられる。更に、（ｉ）成分としては、炭酸アルカリ金属塩、炭酸水素アルカリ金属塩、過炭酸アルカリ金属塩及び非晶質ケイ酸アルカリ金属塩から選ばれる１種以上の水溶性アルカリ無機塩が挙げられる。より具体的には、炭酸ナトリウム、炭酸カリウム、炭酸水素ナトリウム、炭酸水素カリウム、過炭酸ナトリウム及び非晶質ケイ酸ナトリウムから選ばれる１種以上の水溶性アルカリ無機塩が挙げられる。
洗浄性能、洗浄時の泡立ち性、溶解性の点から、炭酸塩としては、炭酸アルカリ金属塩、炭酸水素アルカリ金属塩及び過炭酸アルカリ金属塩から選ばれる１種以上が好ましく、炭酸アルカリ金属塩及び炭酸水素アルカリ金属塩から選ばれる１種以上がより好ましく、炭酸アルカリ金属塩がより好ましく、炭酸ナトリウムが更に好ましい。
本発明の衣料用洗浄剤組成物中の（ｉ）成分の含有量は、洗浄性の観点から、５質量％以上が好ましく、１０質量％以上がより好ましく、そして、５０質量％以下が好ましく、４０質量％以下がより好ましい。
【００４６】
（ii）（ｉ）成分を除く水溶性中性無機塩
（ii）成分は、（ｉ）成分を除く、水溶性中性無機塩から選ばれる１種又は２種以上を組み合わせて用いることができる。
ここで、（ii）成分についての「水溶性」とは、２０℃で水１００ｇ中に１ｇ以上溶解することをいう。（ii）成分は、２０℃で水１００ｇ中に５ｇ以上、更に１０ｇ以上溶解することが好ましい。
（ii）成分としては、特に制限されるものではないが、例えば硫酸塩及び金属塩化物から選ばれる１種以上の水溶性中性無機塩が挙げられる。好ましくは、硫酸塩である。より好ましくはアルカリ金属硫酸塩及びアルカリ金属塩化物から選ばれる１種以上の水溶性中性無機塩である。更に、（ii）成分としては、硫酸ナトリウム、硫酸カリウム、塩化ナトリウム及び塩化カリウムから選ばれる１種以上の水溶性中性無機塩が挙げられる。中でも、洗浄時の泡立ち性の向上の点から、好ましくは硫酸ナトリウム及び／又は塩化ナトリウム、より好ましくは硫酸ナトリウムである。
本発明の衣料用洗浄剤組成物中の（ii）成分の含有量は、洗浄時の泡立ち性の向上の観点から、５質量％以上が好ましく、１０質量％以上がより好ましく、１５質量％以上が好ましく、２０質量％以上２５質量％以上が好ましく、３０質量％以上がより好ましく、そして、７０質量％以下が好ましく、６０質量％以下が好ましく、５５質量％以下が好ましい。
【００４７】
（iii）アルミノケイ酸塩、結晶性ケイ酸塩及びリン酸塩から選ばれる１種以上の金属イオン捕捉ビルダー（iii−１）、並びにカルボン酸系高分子化合物から選ばれる金属イオン捕捉ビルダー（iii−２）から選ばれる１種以上の金属イオン捕捉ビルダー、から選ばれる金属イオン捕捉ビルダー
アルミノケイ酸塩としては、結晶性又は非晶質アルミノケイ酸塩が挙げられる。例えば、チャバザイト、モンデナイト、エリオナイト、ホージャサイト、クリノプチロライトなどの天然ゼオライト、Ａ型ゼオライト、Ｘ型ゼオライト、Ｙ型ゼオライト、Ｌ型ゼオライト、オメガ型ゼオライト、Ｐ型ゼオライト、ＭＡＰ型ゼオライト等の合成ゼオライトが挙げられる。
結晶性ケイ酸塩としては、例えばアルカリ金属ケイ酸塩のＳｉＯ２／Ｍ２Ｏが、モル比で０．５以上２．６以下であるものが挙げられる。ここで、Ｍはアルカリ金属原子を表す。
リン酸塩としては、例えばオルトリン酸塩、メタリン酸塩、トリメタリン酸塩、ピロリン酸塩、トリポリリン酸塩等が挙げられる。塩は、ナトリウム塩、カリウム塩等のアルカリ金属塩が挙げられる。
カルボン酸系高分子化合物としては、例えばモノエチレン性のモノ又はジカルボン酸由来の繰り返し単位、更にはアクリル酸又はマレイン酸に由来する繰り返し単位を含む重量平均分子量１，０００以上１５０，０００以下の高分子化合物が挙げられる。かかる高分子化合物は、ナトリウム塩、カリウム塩等のアルカリ金属塩などの塩であってもよい。具体的には、ポリアクリル酸及びその塩、ポリマレイン酸及びその塩又はアクリル酸−マレイン酸共重合体及びその塩が挙げられる。好ましくはポリアクリル酸及びその塩である。
本発明の衣料用洗浄剤組成物中の（iii-１）成分の含有量は、好ましくは０質量％以上、好ましくは３０質量％以下であり、より好ましくは２０質量％以下であり、より好ましくは９質量％以下である。
本発明の衣料用洗浄剤組成物中の（iii-２）成分の含有量は、好ましくは０質量％以上、好ましくは４質量％以下であり、より好ましくは３質量％以下、より好ましくは２質量％以下、より好ましくは１．５質量％以下、より好ましくは１質量％以下であり、そして、０．１質量％以上である。
【００４８】
（iv）再汚染防止剤及び分散剤〔但し（iii）成分のものを除く。〕
（iv）成分としては、ポリアクリル酸、ポリマレイン酸、及び特開昭５９−６２６１４号公報の請求項１〜２１（１頁３欄５行〜３頁４欄１４行）記載のポリマーなどの再汚染防止剤又は分散剤が挙げられる。（iv）成分は、好ましくはポリアクリル酸、ポリマレイン酸又はそれらの塩であり、より好ましくはポリアクリル酸又はその塩である。
本発明の衣料用洗浄剤組成物中の（iv）成分の含有量は、好ましくは０．１質量％以上、より好ましくは０．５質量％以上、更に好ましくは１質量％以上、そして、好ましくは１０質量％以下、より好ましくは５質量％以下、更に好ましくは３質量％以下である。
【００４９】
（ｖ）蛍光染料
（ｖ）成分としては、例えばチノパールＣＢＳ（商品名、チバスペシャリティケミカルズ製）やホワイテックスＳＡ（商品名、住友化学株式会社製）として市販されている蛍光染料が挙げられる。白色の衣料の白さを際立出せる点で当該組成物中の（ｖ）の含有量は、０．０１質量％以上０．３質量％以下が好ましい。
【００５０】
（vi）炭素数１以上６以下の１価以上３価以下のアルコール
（vi）成分としては、例えば、エタノール、エチレングリコール、プロピレングリコール及びグリセリンから選ばれる１種以上のアルコールが挙げられる。
本発明の衣料用洗浄剤組成物を水に分散させ易くする効果、当該組成物が保管中２つ以上の相に分離したり又は外観が濁ったりすることを抑制する効果などの点で、当該組成物中の（vi）の含有量は、好ましくは０．５質量％以上、より好ましくは１質量％以上であり、そして好ましくは１５質量％以下、より好ましくは１０質量％以下、更に好ましくは５質量％以下である。
【００５１】
（vii）色素、香料、抗菌防腐剤、シリコーン等の消泡剤、ｐＨ調整剤。
【００５２】
（viii）任意のアニオン界面活性剤
本発明の衣料用洗浄剤組成物は、（ａ）成分以外の任意のアニオン界面活性剤を含有することができる。任意のアニオン界面活性剤としては、例えば、炭素数８以上１８以下のアルキル基を有するアルキルベンゼンスルホン酸塩が挙げられる。該アルキルベンゼンスルホン酸塩などの任意のアニオン界面活性剤は、通常、酸型化合物の塩である。塩としては、ナトリウム塩、カリウム塩などのアルカリ金属塩、及びアルカノールアンモニウム塩などが挙げられる。アルカノールアンモニウム塩は、総炭素数２以上６以下のアルカノールアンモニウム塩が挙げられる。
洗浄時の泡立ち性の維持とすすぎ時の泡切れ性の向上を両立する観点で、衣料用洗浄剤組成物中に含まれるアルキルベンゼンスルホン酸塩、好ましくは炭素数８以上１８以下のアルキル基を有するアルキルベンゼンスルホン酸塩の含有量と、衣料用洗浄剤組成物中に含まれる全アニオン界面活性剤の含有量との質量比は、アルキルベンゼンスルホン酸塩の含有量／全アニオン界面活性剤の含有量で、０以上０．２未満が好ましく、より好ましくは０．１９以下、更に好ましくは０．１８以下、更に好ましくは０．１５以下、更に好ましくは０．１０以下、更に好ましくは０．０５以下、更に好ましくは０．０３以下である。この質量比の下限値は０又は０超であってよい。この質量比は０が好ましい。尚、この質量比は、アルキルベンゼンスルホン酸塩及びアニオン界面活性剤を、それぞれ、ナトリウム塩に換算した量に基づいて算出される。
【００５３】
また、本発明では、本発明の衣料用洗浄剤組成物中に含まれるアニオン界面活性剤中の（ａ）成分の割合が、洗浄時の泡立ちの向上とすすぎ時の泡切れの向上の観点で、好ましくは８０質量％以上１００質量％以下である。この割合は、より好ましくは９０質量％以上、更に好ましくは９５質量％以上、更に好ましくは９６質量％以上、更に好ましくは９７質量％以上、更に好ましくは９８質量％以上である。この割合は、１００質量％であってよい。尚、この割合は、（ａ）成分及びアニオン界面活性剤を、それぞれ、ナトリウム塩に換算した量に基づいて算出される。
【００５４】
本発明により、下記（ａ）成分及び（ｂ）成分を含有する衣料用洗浄剤組成物の製造方法であって、
（ａ）成分中の、一般式（１）中のｎが０である化合物及び一般式（１）中のｎが１である化合物の割合を６５質量％以上９５質量％以下とし、
一般式（１）中のｎが０である化合物の質量及び一般式（１）中のｎが１である化合物の質量の合計１００質量部に対する（ｂ）成分の質量を５質量部以上１７質量部以下とする、
衣料用洗浄剤組成物の製造方法が提供される。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
この製造方法には、本発明の衣料用洗浄剤組成物で述べた事項を適宜適用することができる。
【００５５】
本発明は、（ａ）成分及び（ｂ）成分を含有し、
（ａ）成分中の、一般式（１）中のｎが０である化合物及び一般式（１）中のｎが１である化合物の割合が６５質量％以上９５質量％以下であり、
一般式（１）中のｎが０である化合物の質量及び一般式（１）中のｎが１である化合物の質量の合計１００質量部に対する（ｂ）成分の質量が５質量部以上１７質量部以下である、
組成物の、衣料用洗浄剤組成物としての用途を提供する。
この用途に係る組成物には、本発明の衣料用洗浄剤組成物で述べた事項を適宜適用することができる。
【００５６】
〔衣料用洗浄剤組成物の洗濯におけるすすぎ時の泡切れ性を向上する方法〕
上記の通り、（ａ）成分及び（ｂ）成分を含有する衣料用洗浄剤組成物の洗濯におけるすすぎ時の泡切れ性は、本発明で選定した、特定の条件で（ａ）成分、（ａ１）成分及び（ｂ）成分を用いることで、向上する。
【００５７】
本発明は、下記（ａ）成分及び（ｂ）成分を含有する衣料用洗浄剤組成物の洗濯におけるすすぎ時の泡切れ性を向上する方法であって、
（ａ）成分中の、一般式（１）中のｎが０である化合物及び一般式（１）中のｎが１である化合物の割合を６５質量％以上９５質量％以下とし、
一般式（１）中のｎが０である化合物の質量及び一般式（１）中のｎが１である化合物の質量の合計１００質量部に対する（ｂ）成分の質量を５質量部以上１７質量部以下とする、
方法を提供する。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
この方法には、本発明の衣料用洗浄剤組成物で述べた事項を適宜適用することができる。
【００５８】
〔衣料の洗浄方法〕
本発明の衣料用洗浄剤組成物は、漬け置き洗濯用として好適である。本発明の衣料用洗浄剤組成物は、水と混合した洗浄液として、漬け置き洗濯に好適に供せられる。本発明において、漬け置き洗濯とは、衣料を洗浄液に一定時間漬け置く期間がある洗浄方法をいう。好ましくは、漬け置き洗濯では、洗浄液に一定時間漬け置いた後、手動又は洗濯機などの機械力により、衣料と洗浄液とを混ぜ合わせて攪拌洗浄が行われる。本発明の衣料用洗浄剤組成物は、手洗い洗濯用としても好適である。
【００５９】
本発明の衣料用洗浄剤組成物を用いた衣料の洗浄方法として、本発明の衣料用洗浄剤組成物とドイツ硬度が１°ＤＨ以上３０°ＤＨ以下の水とを、水１リットルあたり本発明の衣料用洗浄剤組成物１ｇ以上１０ｇ以下の割合で、混合した洗浄液で、衣料を漬け置き洗濯する、衣料の洗浄方法が挙げられる。
【００６０】
本発明の衣料用洗浄剤組成物を用いた衣料の洗浄方法として、本発明の衣料用洗浄剤組成物とドイツ硬度が１°ＤＨ以上３０°ＤＨ以下の水とを混合して得られた洗浄液に、衣料を１０分以上１２０分以下の時間、漬け置いた後、撹拌洗浄する衣料の洗浄方法が挙げられる。
【００６１】
本発明の衣料用洗浄剤組成物を用いた衣料の洗浄方法として、本発明の衣料用洗浄剤組成物とドイツ硬度が１°ＤＨ以上３０°ＤＨ以下の水とを、水１リットルあたり本発明の衣料用洗浄剤組成物１ｇ以上１０ｇ以下の割合で、混合して得られた洗浄液に、衣料を１０分以上１２０分以下の時間、漬け置いた後、撹拌洗浄する衣料の洗浄方法が挙げられる。
【００６２】
本発明の洗浄方法において、衣料を洗浄液に漬け置く時間は、タンパク質を含む汚れの洗浄性の点から１０分以上が好ましく、２０分以上がより好ましい。洗濯に要する時間を短くする点で、１２０分以下が好ましく、６０分以下がより好ましい。
【００６３】
本発明の洗浄方法において、衣料を漬け置く洗浄液の温度は、０℃以上が好ましく、５℃以上がより好ましく、そして、５０℃以下が好ましく、４０℃以下がより好ましい。漬け置き開始の時点で洗浄液が前記の温度であることが好ましい。
【００６４】
本発明の洗浄方法において、本発明の洗浄剤組成物の洗浄液中の濃度は、洗浄性の観点から、好ましくは２．５ｇ／Ｌ以上、より好ましくは３ｇ／Ｌ以上、更に好ましくは３．５ｇ／Ｌ以上である。一方、すすぎ性の観点から、好ましくは１０ｇ／Ｌ以下、より好ましくは８ｇ／Ｌ以下、更に好ましくは６ｇ／Ｌ以下である。この濃度は、３．５ｇ／Ｌ以上５ｇ／Ｌ以下が好ましい。
【００６５】
本発明の洗浄方法で用いられる洗浄液は、（ａ）成分と（ｂ）成分とを合計で、好ましくは０．０２質量％以上、より好ましくは０．０３質量％以上、そして、経済性の観点から、好ましくは０．１２質量％以下、より好ましくは０．０９質量％以下含有する。前記洗浄液が、任意のアニオン界面活性剤及び（ｃ）成分の少なくとも一方を含有する場合、それらを含めた含有量が前記範囲であることが好ましい。
【００６６】
本発明の洗浄方法では、洗浄液の調製に用いられる水は、ドイツ硬度で１°ＤＨ以上３０°ＤＨ以下の硬度の水を使用できる。優れたタンパク質を含む汚れの洗浄性、洗浄時の泡立ち性、泡の持続性、すすぎ時の泡切れ性の点において、本発明の効果をより実感できる点から、１°ＤＨ以上、更に３°ＤＨ以上、より更に５°ＤＨ以上、より更に６°ＤＨ以上、より更に８°ＤＨ以上、より更に９°ＤＨ以上、より更に１０°ＤＨ以上の水を使用できる。洗浄時の泡立ち性、泡の持続性の観点から、好ましくは３０°ＤＨ以下、より好ましくは２５°ＤＨ以下、更に好ましくは２０°ＤＨ以下の硬度の水を使用できる。硬度は、エチレンジアミン四酢酸二ナトリウム塩を使用したキレート滴定法で求められる全硬度を表す。
【００６７】
本発明の衣料の洗浄方法では、ドイツ硬度が１°ＤＨ以上、更には３°ＤＨ以上、更には５°ＤＨ以上、更には６°ＤＨ以上、更には８°ＤＨ以上、更には９°ＤＨ以上、更には１０°ＤＨ以上、そして、３０°ＤＨ以下、更には２５°ＤＨ以下、更には２０°ＤＨ以下の水と、該水１リットルあたり、本発明の衣料用洗浄剤組成物１ｇ以上、好ましくは２．５ｇ以上、より好ましくは３ｇ以上、より好ましくは３．５ｇ以上、そして、１０ｇ以下、好ましくは８ｇ以下、より好ましくは６ｇ以下、より好ましくは５ｇ以下とを、混合して得た洗浄液を用いることができる。好ましくはこのような割合で調製した洗浄液で、衣料を漬け置き洗濯、更に、漬け置き手洗い洗濯することができる。
【００６８】
本発明の洗浄方法では、本発明の衣料用洗浄剤組成物を含む洗浄液の容量（リットル）と、衣料の質量（ｋｇ）との比（以後、浴比と称する）は、手洗い洗浄時の洗濯のしやすさという点から、〔洗浄液の容量（リットル）〕／〔衣料の質量（ｋｇ）〕で３以上が好ましく、５以上がより好ましい。洗浄性、洗浄時の泡立ち性、泡の持続性の観点から、浴比は、２０以下が好ましく、１０以下がより好ましい。
【００６９】
＜手洗い洗濯方法＞
本発明は、本発明の衣料用洗浄剤組成物と水とを混合して調製した洗浄液を用いて衣料を手洗いし、その後に衣料を水で濯ぐ、手洗い洗濯方法に関する。
更に、本発明は、本発明の衣料用洗浄剤組成物と水とを混合して調製した洗浄液に衣料を浸漬した後、又は前記洗浄液を衣料に塗布した後に、衣料を手洗いし、その後に衣料を水で濯ぐ、手洗い洗濯方法に関する。
【００７０】
本発明の手洗い洗濯方法としては、衣料を、本発明の衣料用洗浄剤組成物から調製した洗浄液に接触させて手洗いする方法が挙げられる。本発明では、洗浄液と衣料との接触時間が長いことが好ましい。洗浄液と衣料との接触は、浸漬により又は塗布により行うことができ、浸漬により行うことが好ましい。本発明の手洗い洗濯方法は、本発明の衣料用洗浄剤組成物と水とを混合して調製した洗浄液に衣料を浸漬した後に、衣料を手洗いし、その後に衣料を水で濯ぐ、手洗い洗濯方法が好ましい。浸漬の場合、浸漬時間は、好ましくは１分以上、より好ましくは３分以上、より好ましくは５分以上であり、そして、１２０分以下、更に６０分以下、更に４５分以下、更に３０分以下である。本発明の特徴は、このような浸漬時間で漬け置いた後も、豊かな泡で洗うことができる点にある。また、浸漬に用いる洗浄液の温度は、好ましくは５℃以上、より好ましくは１０℃以上、そして、好ましくは４５℃以下、より好ましくは４０℃以下である。この温度は、浸漬の開始の時点の温度であってよい。また、この温度は、浸漬中維持されてもよい。
また、洗浄液を、衣料の汚れが付着している部分に塗布して放置、好ましくは５分以上３０分以下放置した後、手洗いすると、更に高い効果が得られる。放置は、好ましくは５℃以上、より好ましくは１０℃以上、そして、好ましくは４０℃以下、より好ましくは３５℃以下の周囲温度で行う。
【００７１】
洗浄液は、本発明の衣料用洗浄剤組成物及び水を含有する。洗浄液中の本発明の組成物の濃度は、０．３ｇ／Ｌ以上、好ましくは０．５ｇ／Ｌ以上、より好ましくは１ｇ／Ｌ以上であり、そして、１０ｇ／Ｌ以下、好ましくは７ｇ／Ｌ以下、より好ましくは５ｇ／Ｌ以下である。水は、前記のようなドイツ硬度を有する水を使用することができる。
【００７２】
本発明の手洗い洗濯方法では、衣料の質量に対する洗浄液の質量の割合は、好ましくは２倍以上、より好ましくは３倍以上、より好ましくは５倍以上であり、そして、好ましくは１００倍以下、より好ましくは５０倍以下、より好ましくは２５倍以下である。すなわち、本発明の手洗い洗濯方法では、浴比が、好ましくは２上、より好ましくは３上、より好ましくは５以上であり、そして、好ましくは１００以下、より好ましくは５０以下、より好ましくは２５以下、より好ましくは２０以下である。
本発明に係る洗浄液に接触、好ましくは浸漬させた衣料を十分に手でこすり洗いすると良好な洗浄力に加えて、豊かな泡立ちがあるので、視覚的に好ましい。
こすり洗いなどの手洗い後は洗浄液から衣料を取り出し、絞って水を除くか脱水機を用いて水を除き、次いで、新しい水〔以下すすぎ水という〕に再度浸漬させる。すすぎ水は、洗面器などにためた水でも流水でもどちらでも良い。衣料に対するすすぎ水の質量の割合は、好ましくは２倍以上、より好ましくは５倍以上、より好ましくは１０倍以上であり、そして、好ましくは１，０００倍以下、より好ましくは５００倍以下、より好ましくは１００倍以下である。この操作を数回繰り返すと泡立ちがなくなり、即ち泡切れによりすすぎ終了となる。本発明の手洗い洗濯方法では、すすぎ時の泡切れが良くなることで、すすぎの回数が少なくなることが好ましい。
【００７３】
本発明のより具体的な態様を以下に示す。これらの態様には、これまでに述べた衣料用洗浄剤組成物、泡切れ性を向上する方法、衣料の洗浄方法、及び手洗い洗濯方法に関する事項を適宜適用することができる。
＜１＞
下記（ａ）成分及び（ｂ）成分を含有し、
（ａ）成分中の、一般式（１）中のｎが０である化合物及び一般式（１）中のｎが１である化合物の割合が６５質量％以上、好ましくは６６質量％以上、より好ましくは６８質量％以上、更に好ましくは７０質量％、更に好ましくは７３質量％以上、更に好ましくは７５質量％以上、更に好ましくは７６質量％以上、更に好ましくは７８質量％以上、更に好ましくは８０質量％以上、更に好ましくは８２質量％以上、更に好ましくは８４質量％以上、更に好ましくは８６質量％以上、更に好ましくは８８質量％以上、更に好ましくは９０質量％以上、更に好ましくは９２質量％以上、そして、９５質量％以下であり、
一般式（１）中のｎが０である化合物の質量及び一般式（１）中のｎが１である化合物の質量の合計１００質量部に対する（ｂ）成分の質量が５質量部以上、好ましくは５．５質量部以上、より好ましくは６質量部以上、更に好ましくは６．５質量部以上、更に好ましくは７質量部以上、更に好ましくは８質量部以上、更に好ましくは９質量部以上、更に好ましくは１０質量部以上、そして、１７質量部以下、好ましくは１６．５質量部以下、より好ましくは１６質量部以下、更に好ましくは１５．５質量部以下、更に好ましくは１５質量部以下、更に好ましくは１４．５質量部以下、更に好ましくは１４質量部以下、更に好ましくは１３．５質量部以下、更に好ましくは１３質量部以下、更に好ましくは１２．５質量部以下、更に好ましくは１２質量部以下、更に好ましくは１１．５質量部以下、更に好ましくは１１質量部以下、更に好ましくは１０．５質量部以下である、
衣料用洗浄剤組成物。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
【００７４】
＜２＞
衣料用洗浄剤組成物中に含まれるアニオン界面活性剤中の前記（ａ）成分の割合が８０質量％以上、好ましくは９０質量％以上、より好ましくは９５質量％以上、更に好ましくは９６質量％以上、更に好ましくは９７質量％以上、更に好ましくは９８質量％以上１００質量％以下である、＜１＞に記載に記載の衣料用洗浄剤組成物。
【００７５】
＜３＞
衣料用洗浄剤組成物中に含まれるアルキルベンゼンスルホン酸塩の含有量と、衣料用洗浄剤組成物中に含まれる全アニオン界面活性剤の含有量との質量比が、アルキルベンゼンスルホン酸塩の含有量／全アニオン界面活性剤の含有量で、０以上、又は０もしくは０超、そして、０．２未満、好ましくは０．１９以下、更に好ましくは０．１８以下、更に好ましくは０．１５以下、更に好ましくは０．１０以下、更に好ましくは０．０５以下、更に好ましくは０．０３以下である、＜１＞又は＜２＞に記載の衣料用洗浄剤組成物。
【００７６】
＜４＞
衣料用洗浄剤組成物中の（ａ）成分の含有量が３質量％以上、好ましくは４質量％以上、より好ましくは５質量％以上、更に好ましくは６質量％以上、更に好ましくは７質量％以上、更に好ましくは８質量％以上、更に好ましくは９質量％以上、そして、３０質量％以下、好ましくは２８質量％以下、より好ましくは２６質量％以下、更に好ましくは２４質量％以下、更に好ましくは２２質量％以下、更に好ましくは２０質量％以下である、＜１＞〜＜３＞の何れかに記載の衣料用洗浄剤組成物。
【００７７】
＜５＞
（ａ）成分である、前記一般式（１）で表される硫酸エステル塩において、ＡＯが炭素数２のアルキレンオキシ基である、＜１＞〜＜４＞の何れかに記載の衣料用洗浄剤組成物。
【００７８】
＜６＞
前記一般式（１）中のＡＯがエチレンオキシ基を含むアルキレンオキシ基である、更にエチレンオキシ基である、＜１＞〜＜５＞の何れかに記載の衣料用洗浄剤組成物。
【００７９】
＜７＞
（ｂ）成分が、アミンオキシド及びベタインから選ばれる１種以上の両性界面活性剤である、更にアミンオキシドである、＜１＞〜＜６＞に記載の衣料用洗浄剤組成物。
【００８０】
＜８＞
アミンオキシドが、下記一般式（ｂ１）で表される化合物である、＜７＞に記載の衣料用洗浄剤組成物。
【００８１】
【化３】
2017066385.tif 000004
【００８２】
〔式中、Ｒ１ｂは、ｋが０の場合又はｋが１でＸが−Ｏ（ＣＯ）−、−（ＮＨ）（ＣＯ）−から選ばれる基である場合は、炭素数８以上１８以下の脂肪族炭化水素基であり、ｋが１でＸが−（ＣＯ）Ｏ−、−（ＣＯ）（ＮＨ）−から選ばれる基である場合は、炭素数７以上１７以下の脂肪族炭化水素基であり、Ｒ２ｂは炭素数１以上６以下のアルキレン基であり、Ｘは−（ＣＯ）Ｏ−、−（ＣＯ）（ＮＨ）−、−Ｏ（ＣＯ）−、−（ＮＨ）（ＣＯ）−から選ばれる基である。ｋは０又は１の数であり、Ｒ３ｂ、Ｒ４ｂは、それぞれ炭素数１以上３以下のアルキル基又はヒドロキシアルキル基である。〕
【００８３】
＜９＞
アミンオキシドが、Ｎ−ラウリル−Ｎ，Ｎ−ジメチルアミンオキシド、Ｎ−ミリスチル−Ｎ，Ｎ−ジメチルアミンオキシド、Ｎ−パルミチル−Ｎ，Ｎ−ジメチルアミンオキシド、Ｎ−ラウロイルアミノプロピル−Ｎ，Ｎ−ジメチルアミンオキシド、Ｎ−ミリストイルアミノプロピル−Ｎ，Ｎ−ジメチルアミンオキシド、Ｎ−パルミトイルアミノプロピル−Ｎ，Ｎ−ジメチルアミンオキシド、Ｎ−ラウリル−Ｎ−エチル−Ｎ−メチルアミンオキシド、Ｎ−ラウリル−Ｎ−メチル−Ｎ−（２−ヒドロキシエチル）アミンオキシド、Ｎ−ミリスチル−Ｎ−エチル−Ｎ−メチルアミンオキシド、Ｎ−ミリスチル−Ｎ−メチル−Ｎ−（２−ヒドロキシエチル）アミンオキシド、Ｎ−パルミチル−Ｎ−エチル−Ｎ−メチルアミンオキシド、Ｎ−パルミチル−Ｎ−メチル−Ｎ−（２−ヒドロキシエチル）アミンオキシド、Ｎ−ラウロイルアミノプロピル−Ｎ−エチル−Ｎ−メチルアミンオキシド、Ｎ−ラウロイルアミノプロピル−Ｎ−メチル−Ｎ−（２−ヒドロキシエチル）アミンオキシド、Ｎ−ミリストイルアミノプロピル−Ｎ−エチル−Ｎ−メチルアミンオキシド、Ｎ−ミリストイルアミノプロピル−Ｎ−メチル−Ｎ−（２−ヒドロキシエチル）アミンオキシド、Ｎ−パルミトイルアミノプロピル−Ｎ−エチル−Ｎ−メチルアミンオキシド及びＮ−パルミトイルアミノプロピル−Ｎ−メチル−Ｎ−（２−ヒドロキシエチル）アミンオキシドから選ばれる１種以上の化合物である、＜７＞又は＜８＞に記載の衣料用洗浄剤組成物。
【００８４】
＜１０＞
アミンオキシドが、Ｎ−ラウリル−Ｎ，Ｎ−ジメチルアミンオキシド、Ｎ−ミリスチル−Ｎ，Ｎ−ジメチルアミンオキシド、Ｎ−パルミチル−Ｎ，Ｎ−ジメチルアミンオキシド、Ｎ−ラウロイルアミノプロピル−Ｎ，Ｎ−ジメチルアミンオキシド、Ｎ−ミリストイルアミノプロピル−Ｎ，Ｎ−ジメチルアミンオキシド、及びＮ−パルミトイルアミノプロピル−Ｎ，Ｎ−ジメチルアミンオキシドから選ばれる１種以上の化合物である、＜７＞〜＜９＞の何れかに記載の衣料用洗浄剤組成物。
【００８５】
＜１１＞
ベタインが、下記一般式（ｂ２）で表される化合物である、＜７＞〜＜１０＞の何れかに記載の衣料用洗浄剤組成物。
【００８６】
【化４】
2017066385.tif 000005
【００８７】
〔式中、Ｒ５ｂは、ｊが０の場合又はｊが１でＹが−Ｏ（ＣＯ）−、−（ＮＨ）（ＣＯ）−から選ばれる基である場合は、炭素数８以上１８以下の脂肪族炭化水素基であり、ｊが１でＹが−（ＣＯ）Ｏ−、−（ＣＯ）（ＮＨ）−から選ばれる基である場合は、炭素数７以上１７以下の脂肪族炭化水素基であり、Ｒ６ｂは炭素数１以上６以下のアルキレン基である。Ｙは−（ＣＯ）Ｏ−、−（ＣＯ）（ＮＨ）−、−Ｏ（ＣＯ）−、−（ＮＨ）（ＣＯ）−、−Ｏ−から選ばれる基であり、ｊは０又は１の数である。Ｒ７ｂ、Ｒ８ｂは、それぞれ炭素数１以上３以下のアルキル基又はヒドロキシアルキル基であり、Ｒ９ｂはヒドロキシ基で置換していてもよい炭素数１以上５以下のアルキレン基である。Ｚは−ＳＯ３−、−ＯＳＯ３−、−ＣＯＯ−から選ばれる基である。〕
【００８８】
＜１２＞
ベタインが、ラウリル（２−ヒドロキシ−３−スルホプロピル）ジメチルベタイン、ミリスチル（２−ヒドロキシ−３−スルホプロピル）ジメチルベタイン、及びパルミチル（２−ヒドロキシ−３−スルホプロピル）ジメチルベタインから選ばれる１種以上の化合物である、＜７＞〜＜１１＞の何れかに記載の衣料用洗浄剤組成物。
【００８９】
＜１３＞
更に（ｃ）成分として、ノニオン界面活性剤を含有する、＜１＞〜＜１２＞の何れかに記載の衣料用洗浄剤組成物。
【００９０】
＜１４＞
（ｃ）成分であるノニオン界面活性剤が、ポリオキシアルキレン基を有するノニオン界面活性剤である、＜１３＞に記載の衣料用洗浄剤組成物。
【００９１】
＜１５＞
（ｃ）成分が、下記一般式（ｃ１）で表されるノニオン界面活性剤である、＜１２＞又は＜１４＞に記載の衣料用洗浄剤組成物。
Ｒ１ｃ−Ｏ−（Ａ’Ｏ）ｍ−Ｈ            （ｃ１）
〔式中、Ｒ１ｃは、炭素数８以上１８以下の脂肪族炭化水素基であり、Ａ’Ｏは炭素数２のアルキレンオキシ基及び炭素数３のアルキレンオキシ基から選ばれるアルキレンオキシ基であり、ｍは、Ａ’Ｏの平均付加モル数であり、３以上２０以下の数である。〕
【００９２】
＜１６＞
衣料用洗浄剤組成物中の（ｃ）成分の含有量が、（ａ）成分の質量の１００質量部に対する（ｃ）成分の質量で、９質量部以上、好ましくは１０質量部以上、より好ましくは１１質量部以上、更に好ましくは１２質量部以上、更に好ましくは１３質量部以上、そして、３０質量部以下、好ましくは２８質量部以下、より好ましくは２６質量部以下、更に好ましくは２４質量部以下、更に好ましくは２２質量部以下、更に好ましくは２０質量部以下である、＜１３＞〜＜１５＞の何れかに記載の衣料用洗浄剤組成物。
【００９３】
＜１７＞
衣料用洗浄剤組成物が、水を含む液体組成物である、＜１＞〜＜１６＞に記載の衣料用洗浄剤組成物。
【００９４】
＜１８＞
手洗い洗濯用である、＜１＞〜＜１７＞の何れかに記載の衣料用洗浄剤組成物。
【００９５】
＜１９＞
＜１＞〜＜１８＞の何れかに記載の衣料用洗浄剤組成物と水とを混合して調製した洗浄液を用いて衣料を手洗いし、その後に衣料を水で濯ぐ、手洗い洗濯方法。
【００９６】
＜２０＞
下記（ａ）成分及び（ｂ）成分を含有する衣料用洗浄剤組成物の洗濯におけるすすぎ時の泡切れ性を向上する方法であって、
（ａ）成分中の、一般式（１）中のｎが０である化合物及び一般式（１）中のｎが１である化合物の割合を６５質量％以上９５質量％以下とし、
一般式（１）中のｎが０である化合物の質量及び一般式（１）中のｎが１である化合物の質量の合計１００質量部に対する（ｂ）成分の質量を５質量部以上１７質量部以下とする、方法。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
【００９７】
＜２１＞
下記（ａ）成分及び（ｂ）成分を含有する衣料用洗浄剤組成物の製造方法であって、
（ａ）成分中の、一般式（１）中のｎが０である化合物及び一般式（１）中のｎが１である化合物の割合を６５質量％以上９５質量％以下とし、
一般式（１）中のｎが０である化合物の質量及び一般式（１）中のｎが１である化合物の質量の合計１００質量部に対する（ｂ）成分の質量を５質量部以上１７質量部以下とする、
衣料用洗浄剤組成物の製造方法。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
【００９８】
＜２２＞
＜１＞〜＜１８＞の何れかに記載の組成物の、衣料用洗浄剤組成物としての用途。
【００９９】
＜２３＞
下記（ａ）成分及び（ｂ）成分を含有し、
（ａ）成分中の、一般式（１）中のｎが０である化合物及び一般式（１）中のｎが１である化合物の割合が６５質量％以上、好ましくは６６質量％以上、より好ましくは６８質量％以上、更に好ましくは７０質量％、更に好ましくは７３質量％以上、更に好ましくは７５質量％以上、更に好ましくは７６質量％以上、更に好ましくは７８質量％以上、更に好ましくは８０質量％以上、更に好ましくは８２質量％以上、更に好ましくは８４質量％以上、更に好ましくは８６質量％以上、更に好ましくは８８質量％以上、更に好ましくは９０質量％以上、更に好ましくは９２質量％以上、そして、９５質量％以下であり、
一般式（１）中のｎが０である化合物の質量及び一般式（１）中のｎが１である化合物の質量の合計１００質量部に対する（ｂ）成分の質量が５質量部以上、好ましくは５．５質量部以上、より好ましくは６質量部以上、更に好ましくは６．５質量部以上、更に好ましくは７質量部以上、更に好ましくは８質量部以上、更に好ましくは９質量部以上、更に好ましくは１０質量部以上、そして、１７質量部以下、好ましくは１６．５質量部以下、より好ましくは１６質量部以下、更に好ましくは１５．５質量部以下、更に好ましくは１５質量部以下、更に好ましくは１４．５質量部以下、更に好ましくは１４質量部以下、更に好ましくは１３．５質量部以下、更に好ましくは１３質量部以下、更に好ましくは１２．５質量部以下、更に好ましくは１２質量部以下、更に好ましくは１１．５質量部以下、更に好ましくは１１質量部以下、更に好ましくは１０．５質量部以下である、
組成物の、衣料用洗浄剤組成物としての用途。
（ａ）成分：下記一般式（１）で表される硫酸エステル塩
Ｒ−Ｏ−（ＡＯ）ｎ−ＳＯ３Ｍ        （１）
〔式中、Ｒは炭素数１０以上１８以下の炭化水素基であり、ＡＯは炭素数２のアルキレンオキシ基及び炭素数３のアルキレンオキシ基から選ばれるアルキレンオキシ基であり、ｎは０以上２０以下の整数であり、Ｍは陽イオンである。〕
（ｂ）成分：両性界面活性剤
この用途に係る組成物には、これまでに述べた衣料用洗浄剤組成物、泡切れ性を向上する方法、衣料の洗浄方法、及び手洗い洗濯方法に関する事項を適宜適用することができる。
【実施例】
【０１００】
〔実施例１〜１６及び比較例１〜３〕
下記成分を用い、表３、４に示す衣料用液体洗浄剤組成物を調製し、得られた組成物を用いて、下記の方法で洗浄時の泡立ち性、及びすすぎ時の泡切れ性の評価を行った。その結果を表３、４に示す。また、実施例の衣料用液体洗浄剤組成物について、下記の方法で洗浄力を評価した。なお、組成物のｐＨは、モノエタノールアミン又はクエン酸で、いずれも９．０に調整した。ｐＨの測定には、ガラス電極を使用したｐＨメーターを使用した。
【０１０１】
＜配合成分＞
（ａ）成分
・ａ−１〜ａ−７：表１に記載の（ａ１）成分〜（ａ４）成分を用いて、表２に記載のａ−１〜ａ−７を調製した。表２中の各化合物の質量％は、表１に記載の各化合物の組成から算出した計算値である。尚、表２中の各化合物の質量％は、小数点以下３桁目を四捨五入した値を記載している。表２中の「計」は、一般式（１）中のｎが異なる各化合物の含有量の合計において、小数点以下２桁目を四捨五入した値を記載している。表２中の各化合物の質量％が計算で求められた値であり、例えば、各化合物の含有量の合計が９９．９９質量％となる場合があるが、１００．０質量％とみなす。また、表２中の「（ａ）成分中の（ａ１）成分の割合（質量％）」は、表２中の（ａ１）の含有量の合計の小数点以下２桁目を四捨五入した値を記載している。
【０１０２】
【表１】
2017066385.tif 000006
【０１０３】
【表２】
2017066385.tif 000007
【０１０４】
（ｂ）成分
・ｂ−１：Ｎ−ラウリル−Ｎ，Ｎ−ジメチルアミンオキシド
・ｂ−２：Ｎ−ラウロイルアミノプロピル−Ｎ，Ｎ−ジメチルアミンオキシド
・ｂ−３：ラウリル（２−ヒドロキシ−３−スルホプロピル）ジメチルベタイン
【０１０５】
（ｃ）成分
・ｃ−１：ポリオキシエチレンアルキルエーテル：炭素数１２の直鎖１級アルコールにエチレンオキシドを平均１０モル付加させたポリオキシエチレンアルキルエーテル
・ｃ−２：ポリオキシエチレンアルキルエーテル：炭素数１２の直鎖１級アルコールにエチレンオキシドを平均８モル付加させたポリオキシエチレンアルキルエーテル
・ｃ−３：ポリオキシエチレンアルキルエーテル：炭素数１２の直鎖１級アルコールにエチレンオキシドを平均６モル付加させたポリオキシエチレンアルキルエーテル
【０１０６】
その他の任意成分（表中、（ｄ）成分として示した。）
・ｄ−１：硫酸ナトリウム
・ｄ−２：プロピレングリコール
・ｄ−３：直鎖アルキル（炭素数８〜１８）ベンゼンスルホン酸ナトリウム、ネオペレックスＧ−２５（花王株式会社製、表中の値は有効分の含有量である。）
【０１０７】
＜衣料用液体洗浄剤組成物の調製方法（１）＞
前記の成分を用いて表３又は表５に示す衣料用液体洗浄剤組成物を調製した。
３００ｍＬ容量のガラス製ビーカーに直径１ｃｍ、長さ５ｃｍの棒状のテフロン（登録商標）製のスターラーピースを入れた。衣料用液体洗浄剤組成物の出来上がり質量を２００ｇにするのに必要な量の９５％相当のイオン交換水をビーカー内に投入した。次にビーカーをウォーターバスに入れて内容物の温度を３０℃に調整した。２００ｒ／ｍｉｎで回転させながら必要量の（ａ）成分、（ａ’）成分、（ｂ）成分をビーカー内に投入した。投入後から１５分後にスターラーピースの撹拌を止めた。
【０１０８】
＜衣料用液体洗浄剤組成物の調製方法（２）＞
前記の成分を用いて表４に示す衣料用液体洗浄剤組成物を調製した。
３００ｍＬ容量のガラス製ビーカーに直径１ｃｍ、長さ５ｃｍの棒状のテフロン（登録商標）製のスターラーピースを入れた。衣料用液体洗浄剤組成物の出来上がり質量を２００ｇにするのに必要な量の９５％相当のイオン交換水をビーカー内に投入した。次にビーカーをウォーターバスに入れて内容物の温度を３０℃に調整した。２００ｒ／ｍｉｎで回転させながら必要量の（ａ）成分、（ｂ）成分、（ｃ）成分、その他の任意成分をビーカー内に投入した。投入後から１５分後にスターラーピースの撹拌を止めた。
【０１０９】
＜粘度の測定方法＞
表４に記載の衣料用液体洗浄剤組成物を入れた１００ｍＬ容量のトールビーカーを恒温槽に入れ、内容物の温度が３０±１℃になるように調整した。ＴＶＢ-１０Ｍ型粘度計に
ローターＮｏ．２を設置し、回転速度を６０ｒｐｍで、１分間後の粘度を測定した。表示部に表示された値の横に上向きの矢印が表示された場合には、ローターＮｏ．を順次上げて測定した。また、表示部に表示された値の横に下向きの矢印が表示された場合には、ローターＮｏ．を順次下げて測定した。値が表示された時点で、値を基に粘度を算出した。結果を表４に示す。値が低い方が好ましい。
表４中、実施例１２は（ｃ）成分であるポリオキシアルキレン基を含有する非イオン界面活性剤を含まない。実施例１３〜１６は（ｃ）成分を含む為に、実施例１２と比べて粘度が低くなっている。また、実施例１４〜１６を比較すると、オキシエチレン基の数が多い程、粘度が低くなっていることがわかる。
【０１１０】
＜洗浄時の泡立ち性の評価＞
衣料用液体洗浄剤組成物４ｇをドイツ硬度１０°ｄＨ（Ｃａ／Ｍｇ＝７／３）、アルカリ度６０の水９９６ｇと混合し、下記のモデル皮脂汚れ５０μＬを加えて３分間撹拌し３０℃に調整し洗浄液を調製した。片方が閉じ、反対側が開いている円柱型のガラス容器（内径５ｃｍ、内側の高さは９０ｃｍ）の中に、洗浄液２００ｇを３０秒間かけて注ぎ込む。注ぎ込んで１分後の泡の高さを測定した。泡の高さはガラス容器の内壁に接触している泡の高さを測定した。泡の高さが１６０ｍｍ以上を合格とした。数字が大きい方がより泡立ち性が良いことを示す。
【０１１１】
・モデル皮脂汚れ：以下の成分を各々の割合で混合したモデル皮脂汚れを使用した。
ラウリン酸０．９９質量％、ミリスチン酸７．０９質量％、ペンタデカン酸５．２９質量％、パルミチン酸１４．２１質量％、ヘプタデカン酸０．９９質量％、ステアリン酸３．６０質量％、オレイン酸１７．８１質量％、トリオレイン３０．０２質量％、パルミチン酸ｎ−ヘキサデシル５．００質量％、スクアレン１５．００質量％
【０１１２】
以下に、水のアルカリ度の測定方法を示す。試験水１００ｍｌを２００ｍｌビーカーにとり、指示薬としてブロモクレゾールグリーン−メチルレッド・エタノール溶液（和光純薬工業（株）製）を０．１５ｍｌ加える。検水に残留塩素があるときは、あらかじ試験水１００ｍｌにチオ硫酸ナトリウム溶液（０．３ｗ／ｖ％）を加えて残留塩素を除いておく。この溶液を緩やかに攪拌しながら１０ｍｍｏｌ／ｌ硫酸で、溶液の色が青から赤紫色になるまで滴定する。次式によってアルカリ度を算出する。
アルカリ度（ＣａＣＯ３ｍｇ／ｌ）＝ａ×１０
ここで、ａ：滴定に要した１０ｍｍｏｌ／ｌ硫酸（ｍｌ）である。
着色した試料など、指示薬による変色が明らかでない場合には、指示薬に代えてｐＨ計を使用し、ｐＨ値が４．８までに要した１０ｍｍｏｌ／ｌ硫酸量（ｍｌ）をａとする。
【０１１３】
＜すすぎ時の泡切れ性の評価＞
前記の“洗浄時の泡立ち性の評価”で用いた洗浄液を、ドイツ硬度１０°ｄＨ（Ｃａ／Ｍｇ＝７／３）、アルカリ度６０の水で、質量で１００倍に希釈し、すすぎ液に相当する溶液を調製した。片方が閉じ反対側が開いている円柱型のガラス容器（内径５ｃｍ、内側の高さは９０ｃｍ）の中に、すすぎ液に相当する溶液２００ｇを３０秒間かけて注ぎ込む。注ぎ込んで５分後の泡高さを測定した。泡の高さはガラス容器の内壁に接触している泡の高さを測定した。泡の高さが１０ｍｍ以下であれば、すすぎ時の泡切れ性が良いと判断した。数字が小さい方が、よりすすぎ時の泡切れ性が良いことを示す。
【０１１４】
＜洗浄力の評価＞
衣料用液体洗浄剤組成物と水を混合した洗浄液１Ｌに、ＡＳ−１０人工汚染布（Testfabrics社製、１０ｃｍ×１０ｃｍに裁断したもの）を５枚入れ、３０分浸漬した後、ターゴトメーター（Ueshima社製MS-8212、内径１２ｃｍ、高さ１７．５ｃｍ）にて、１００ｒ／ｍｉｎで３分間洗浄した。洗浄液中の液体洗浄剤組成物の濃度は０．４質量％であった。また、洗浄液の調製に使用した水は、イオン交換水に塩化カルシウムを加え、ドイツ硬度を１０°ＤＨ（１７８ｍｇＣａＣＯ３／Ｌ）に調整したアルカリ度６０の水であった。洗浄液の水温は３０℃であり人工汚染布の浸漬中もこの温度を維持した。洗浄後、同じ質量の同イオン交換水にて１分間すすぎを行った。
【０１１５】
洗浄力は、汚染前の原布及び洗浄前後の汚染布の５５０ｎｍにおける反射率を自記色彩計（株式会社島津製作所）にて測定し、次式によって洗浄率（％）を求めた。各々５枚の汚染布の反射率から洗浄率を測定し、平均値を算出した。
表３、表４に記載の本発明の衣料用液体洗浄剤組成物洗浄率の洗浄力を評価した結果、いずれの組成物も、洗浄率の平均値は３０％以上であり、衣料用液体洗浄剤組成物としての一般的な洗浄力を有していることが確認された。
【０１１６】
【数１】
2017066385.tif 000008
【０１１７】
【表３】
2017066385.tif 000009
【０１１８】
【表４】
2017066385.tif 000010
【０１１９】
〔実施例１７〕
以下の方法で、実施例１〜１６の組成物について、手洗い洗濯での洗浄時の泡立ち性とすすぎ時の泡切れ性を評価した。
＜モデル皮脂汚れの調製＞
以下の組成を有するモデル皮脂汚れを作製した。
・モデル皮脂汚れ組成：
ラウリン酸０．９９質量％、ミリスチン酸７．０９質量％、ペンタデカン酸５．２９質量％、パルミチン酸１４．２１質量％、ヘプタデカン酸０．９９質量％、ステアリン酸３．６０質量％、オレイン酸１７．８１質量％、トリオレイン３０．０２質量％、パルミチン酸ｎ−ヘキサデシル５．００質量％、スクアレン１５．００質量％
【０１２０】
＜洗浄時の泡立ち性及びすすぎ時の泡切れ性の評価＞
・評価用衣料
男性用Ｌサイズの丸首肌着（グンゼ株式会社製、商品名グンゼＹＧ、綿１００％、約１００ｇ／１着）３着を評価用衣料とした。
【０１２１】
・評価操作（洗い）
直径３６ｃｍ、深さ１３ｃｍ、容量１１Ｌのポリプロピレン製洗面器に、イオン交換水に塩化カルシウムを加え、ドイツ硬度を１０°ＤＨ（１７８ｍｇＣａＣＯ３／Ｌ）に調整したアルカリ度が６０で温度が３０℃の水３Ｌと、衣料用液体洗浄剤組成物１２ｇと、前記モデル皮脂汚れ０．５ｍＬとを入れた。次いで、水が洗面器より飛散しないように手で３０秒間攪拌して、洗浄液を調製した。
上記洗面器中の洗浄液に前記モデル皮脂汚れを評価衣料１枚当たり０．１ｍＬ塗布した評価用衣料３着を浸し、全体を３０秒間撹拌した後、３０分間洗浄液中に浸漬させた。その浸漬後、評価用衣料を洗浄液が洗面器から飛散しない程度に洗浄液面より持ち上げて、そして、洗浄液中に戻して揉む洗浄操作を評価衣料１枚当たり１分間行った。その後、評価衣料に対する含水量が約４０〜６０％になるように、洗面器の上方で、手で絞った後、評価衣料を洗面器から取り出した。
この作業は連続して行い、全ての評価用衣料を取り出した直後の泡の高さを測定した。これを洗浄時の泡の高さとした。
泡の高さの数値が大きい方が好ましい。１．２ｃｍ以上の泡の高さは、液面が３着の評価衣料が起泡した泡で見えにくくなる高さであり、手洗い洗濯を行う者が「充分な泡がある」と感じる泡高さである。そのため、泡の高さが１．２ｃｍ以上であれば、手洗い洗濯を行う者が満足できる泡立ち性が得られていると判断できる。
【０１２２】
・評価操作（すすぎ）
直径３０ｃｍ、深さ１２ｃｍの洗面器に対して、温度が３０℃、イオン交換水に塩化カルシウムを加え、ドイツ硬度を１０°ＤＨ（１７８ｍｇＣａＣＯ３／Ｌ）に調整したアルカリ度６０の水であるすすぎ水３Ｌと、前記「評価操作（洗い）」で洗面器から取り出した評価用衣料３着を入れた。すすぎ水中で評価用衣料をほぐした。次いで、すすぎ水が評価用衣料の内側にも通るように、評価用衣料の首の部分を両手で開きながら、すすぎ水の水面より持ち上げて、そして、すすぎ水中に戻す操作を１０回繰り返した。次いで、評価用衣料に対する含水量が約４０〜６０％になるように手で絞った後に、洗面器から取り出した。更に、この一連の操作をもう一度繰り返した。この一連の操作は評価用衣料１着毎に行った。
全ての評価用衣料を取り出した直後の水面の状態を観察し、下記の基準でポイントを付け、すすぎ性を評価した。
泡の残り具合が液面の２／３未満であれば、手洗い洗濯を行う者がすすぎ時に泡切れが良いと判断できる。そのため、下記のポイントが３以下であれば、手洗い洗濯を行う者が満足できる泡切れ性が得られていると判断できる。
【０１２３】
ポイント
５：液面のほぼ全面に泡が残っている
４：液面の全面の２／３以上に泡が残っている
３：液面の１／３以上２／３未満に泡が残っている
２：液面の１／３未満に泡が残っている
１：液面にほとんど泡が残っていない
【０１２４】
実施例１〜１６の組成物は、上記の評価による手洗い洗濯での洗浄時の泡立ち性とすすぎ時の泡切れ性に優れていた。
【０１２５】
〔配合例１〜５〕
表５に、本発明の衣料用液体洗浄剤組成物の配合例１〜５を示す。配合例３は、実施例２と同じ組成であり、その効果は表３に示してある。
表５の衣料用液体洗浄剤組成物のうち、配合例１、２、４、５は、実施例１等と同様に、ただし、該組成物の使用量及び水の使用量を表５に記載の条件として、洗浄時の泡立ち性の評価を行うと、いずれの配合例も満足できる泡立ち性が得られると考えられる。
また、表５の衣料用液体洗浄剤組成物のうち、配合例１、２、４、５は、実施例１等と同様に、すすぎ時の泡切れ性の評価を行うと、いずれの配合例も満足できる泡切れ性が得られると考えられる。
【０１２６】
【表５】
2017066385.tif 000011
【０１２７】
＊ドイツ硬度１０°ｄＨ（Ｃａ／Ｍｇ＝７／３）、アルカリ度６０の水